(57)【要約】    【課題】  本発明は簡易な構造でありながらも風車ユニットの急旋回を防止することが可能な風力発電装置を提供することを目的とする。    【解決手段】    上記課題を解決するために本発明に係る風力発電装置は、水平軸風車を有する風力発電装置において、ブレード、シャフト及びボックス等より成る風車ユニットをタワーに取り付け、該タワーを支持する基台に対して該タワーを回転可能に設け、発電機を回転駆動させるための主ブレードの後方に主ブレードと直交する方向に従ブレードを設け、該従ブレードの回転駆動力によりタワーを回転させるように構成した。    【選択図】  図１
2005207296.tif 000002
【特許請求の範囲】
【請求項１】
水平軸風車を有する風力発電装置において、
該水平軸風車をタワーに取り付け、該タワーを支持する基台に対して該タワーを回転可能に設けたこと、
発電機を回転駆動させるための主ブレードの後方に主ブレードと直交する方向に従ブレードを設け、該従ブレードの回転駆動力によりタワーを回転させるようにしたこと、
を特徴とする風力発電装置。
【発明の詳細な説明】
【技術分野】
【０００１】
本発明は小型の風力発電装置に関し、より詳しくは水平軸風車における急激なヨー旋回を制御することが可能な小型風力発電装置に関する。
【背景技術】
【０００２】
水平軸風車を有する風力発電装置はタワー上部に、ブレードとブレードにより回転駆動される発電機とを有する風車発電ユニットが、タワーに対してヨー旋回（略水平面上の旋回）するように構成されている。ブレードが正面から風を受けることを可能とするためである。
【０００３】
ところが係る風力発電装置は風向きが急に変わると風車発電ユニットが急旋回し、付近にいる人畜に危害を与える危険性がある。又、急旋回に伴う風力発電装置自体への負荷により装置自体に故障が生じる恐れもある。
【０００４】
そこで、係る急旋回を防止する必要が生じるが、従来係る急旋回を防止するための機構を有する小型の風力発電装置はなかった。
【０００５】
大型の風力発電装置においては無意味な小刻みのヨー旋回を防止するための機構を有するものもあるが（例えば特開２００１−２８９１４９号公報記載の発明）、これは急旋回を防止するためのものではない。そもそも大型の風力発電装置ではその重量により急激な旋回が起こりにくいからである。
【特許文献１】特開２００１−２８９１４９号公報
【発明の開示】
【発明が解決しようとする課題】
【０００６】
上述のように急旋回を防止するための機構を有する小型の風力発電装置は存在しないことに鑑み、本発明は簡易な構造でありながらも風車ユニットの急旋回を防止することが可能な風力発電装置を提供することを目的とする。
【課題を解決するための手段】
【０００７】
上記課題を解決するために本発明に係る風力発電装置は、水平軸風車を有する風力発電装置において、該水平軸風車をタワーに取り付け、該タワーを支持する基台に対して該タワーを回転可能に設け、発電機を回転駆動させるための主ブレードの後方に主ブレードと直交する方向に従ブレードを設け、該従ブレードの回転駆動力によりタワーを回転させるように構成した。
【０００８】
以下、かように構成される本発明が如何に作用にして課題を解決するかを述べる。
【０００９】
本発明に係る風力発電装置においては主ブレード正面から吹いていた風の風向きが変わると、主ブレード後方に主ブレードと直交する方向に設けられた従ブレードに風が当たり、該従ブレードが回転を始める。この従ブレードの回転駆動力を伝達してタワーを回転せしめるのである。
【００１０】
この際タワーを回転させるための負荷がかかるのでブレーキ作用を果たす。その結果タワーが急激な回転をすることを防止することが可能となり、つまりは風車ユニットの急激なヨー旋回を抑止することができるのである。
【発明の効果】
【００１１】
かようにして本発明によれば簡易な構造でありながらも風車ユニットの急旋回を防止することが可能な風力発電装置を提供することが可能となるのである。
【発明を実施するための最良の形態】
【００１２】
以下、発明の実施形態につき図面を参照しながら述べる。
【００１３】
図１は本発明の正面図であり、図２は同背面図であり、図３は同左側面図であり、図４は同右側面図であり、図５は同平面図であり、図６は正面側から見た斜視図であり、図７は同背面側から見た斜視図である。
【００１４】
図３及び図４に示すように本発明に係る風力発電装置はシャフト３に取り付けられたハブ１に主ブレード２が複数枚取り付けられている。ボックス４内には図示されていないがギア部材が装備されており、水平面方向におけるシャフト３の回転を垂直面方向の回転に変換し、タワー５内に装備される垂直方向のシャフト（不図示）を回転せしめ、もって基台６内に装備される発電機（不図示）を駆動し発電せしめるのである。
【００１５】
尚、本発明においては発電機を基台６内に設けてあるが、むろん係る限定を受けるものではなくボックス４内に発電機を設けシャフト３の回転により発電機を駆動発電せしめても構わない。
【００１６】
以上のハブ１、主ブレード２、シャフト３及びボックス４で構成される風車ユニットはタワー５に支持されるものである。そしてこのタワー５は垂芯線を中心とする回転運動可能な形態で基台６に取り付けられている。
【００１７】
主ブレード２の後方には、主ブレード２と直交する方向に風向板７が設けられている。この風向板７はタワー５に取り付けられている。
【００１８】
風向板７には円孔８が設けられており、該円孔８内には複数枚の従ブレード９が回転可能に設けられている。複数枚の従ブレード９によって構成される風車は主ブレードと直交する方向に設けられており、その回転軸にはスプロケット１０ａが取り付けられている。
【００１９】
従ブレード９によって構成される風車が風を受け回転することにより、スプロケット１０ａも回転し、当該回転駆動力はチェーン１１ａを介してスプロケット１０ｂに伝達され、更にスプロケット１０ｂと同軸上に設けられたスプロケット１０ｃを回転させチェーン１１ｂを介してスプロケット１０ｄへと回転駆動力が伝達されていく。そして、スプロケット１０ｄと同軸に設けられた噛合部材１２を回転させ、当該噛合部材１２と噛合するスプロケット１０ｅを回転させるのである。そしてこのスプロケット１０ｅはタワー５に取り付けられていることからタワー５が回転駆動されるのである。
【００２０】
勿論従ブレード９により発生する回転駆動力を伝達する方法は上述のものに限定されるわけではなく、例えばベルトとスプロケットを用いる方法や歯車の噛み合わせによる方法等によっても構わない。
【図面の簡単な説明】
【００２１】
【図１】本発明の正面図。
【図２】同、背面図。
【図３】同、左側面図。
【図４】同、右側面図。
【図５】同、平面図。
【図６】同、正面側から見た斜視図。
【図７】同、背面側から見た斜視図。
【符号の説明】
【００２２】
１・・ハブ      ２・・主ブレード
３・・シャフト      ４・・ボックス
５・・タワー      ６・・基台
７・・風向板      ８・・円孔
９・・従ブレード      
１０ａ，１０ｂ，１０ｃ，１０ｄ，１０ｅ・・スプロケット
１１ａ，１１ｂ・・チェーン      １２・噛合部材
【図１】
2005207296.tif 000003
【図２】
2005207296.tif 000004
【図３】
2005207296.tif 000005
【図４】
2005207296.tif 000006
【図５】
2005207296.tif 000007
【図６】
2005207296.tif 000008
【図７】
2005207296.tif 000009